Podtech/llm-jp-corpus-v4-ja_patent huggingface dataset:
【誤訳訂正書】
【提出日】平成25年5月31日(2013.5.31)
【誤訳訂正１】
【訂正対象書類名】特許請求の範囲
【訂正対象項目名】全文
【訂正方法】変更
【訂正の内容】
【特許請求の範囲】
【請求項１】
基板を備え、前記基板上に形成され、前記基板によって支持された、複数の構造物のアレイを有する光学的可変デバイスであって、前記構造物が光学的可変インクを含む印刷されたピラミッド形の構造物であり、各ピラミッド形の構造物が少なくとも３つの斜面を有し、前記基板に対して直交する軸の周りで前記基板が少なくとも３０度回転されたとき、前記ピラミッド形の構造物の前記アレイを観察したときに色変化が見えるものであり、前記ピラミッド形の構造物の前記アレイを回転したときに見える色変化が、各ピラミッド形の構造物の実質的に同じカラー・シフトの足し算から生ずる、光学的可変デバイス。
【請求項２】
前記光学的可変インクが、カラー・シフト・フレークを有するキャリヤーを含む、請求項１に記載の光学的可変デバイス。
【請求項３】
前記カラー・シフト・フレークが多層フレークであり、前記フレークの平均最大寸法が、前記フレークが一部を形成するピラミッド形の構造物の高さの半分未満である、請求項２に記載の光学的可変デバイス。
【請求項４】
前記ピラミッド形構造物のそれぞれが、高さ１５０ミクロン未満である、請求項２に記載の光学的可変デバイス。
【請求項５】
可視の印を形成するように、前記構造物間の間隙、または構造物の前記アレイと異なる構造物が、構造物の前記アレイ内で構造物間に設けられ、前記印が、拡大することなしに識別可能となるようにサイズ設定される、請求項１に記載の光学的可変デバイス。
【請求項６】
前記ピラミッド形構造物のアレイと区別可能な可視の印を有する、請求項１に記載の光学的可変デバイス。
【請求項７】
前記ピラミッド形の構造物の少なくとも５０％の高さ対底辺比率が、０．６から０．８の範囲内にある、請求項２に記載の光学的可変デバイス。
【請求項８】
第１の複数の前記ピラミッド形の構造物が第１の所定の向きで配向され、第２の複数の前記ピラミッド形の構造物が第２の異なる向きで配向され、その結果、前記第１の複数の構造物が前記第２の複数の構造物と異なる色であるように見える、請求項２に記載の光学的可変デバイス。
【請求項９】
連続するピラミッド形の構造物の第１のグループが、連続する構造物の第２のグループと異なるものであり、前記第１と第２のグループが、視覚的に区別可能な印を形成する、請求項１に記載の光学的可変デバイス。
【請求項１０】
ピラミッド形の構造物の前記面のそれぞれが、前記基板と異なる角度を形成する、請求項１に記載の光学的可変デバイス。
【請求項１１】
ピラミッド形の構造物の前記面のそれぞれが、前記基板と同じ角度を形成する、請求項１に記載の光学的可変デバイス。
【請求項１２】
前記光学的可変インクがフレークで構成され、前記フレークの少なくとも一部が、単一キャビティのファブリ・ペロー構造を形成する、請求項１に記載の光学的可変デバイス。
【請求項１３】
前記光学的可変インクがフレークで構成され、前記フレークの少なくとも一部がそれぞれ、多キャビティのファブリ・ペロー構造を形成する、請求項１に記載の光学的可変デバイス。
【請求項１４】
複数の前記ピラミッド形の構造物が、四面体ピラミッド、方形ピラミッド、五角形ピラミッド、および平坦な頂部を有する裁頭ピラミッドのうちの少なくとも１つである、請求項１に記載の光学的可変デバイス。
【請求項１５】
前記光学的可変インクが、少なくともいくつかのフレークを含み、前記少なくともいくつかのフレークは、それらに形成された回折パターンを有する、請求項１に記載の光学的可変デバイス。
【請求項１６】
前記光学的可変フレークが磁気フレークである、請求項２に記載の光学的可変デバイス。
【請求項１７】
前記光学的可変インクが、液晶ポリマー顔料で構成される、請求項１に記載の光学的可変デバイス。
【請求項１８】
回転と共に色の可視変化を呈するデバイスを製造する方法であって、
ａ）基板を用意するステップと、
ｂ）前記基板上に、光学的可変特性を有する粘性のインクを用いて、複数のピラミッド形構造物のアレイを印刷するステップであって、前記アレイ内の複数のピラミッド形構造物が、小さいものであり、それぞれ拡大することなしには人の目によって識別することができないものであり、前記ピラミッド形の構造物の前記アレイを回転したときに見える色変化が、各ピラミッド形の構造物の実質的に同じカラー・シフトの足し算から生ずる、ステップと、
ｃ）前記粘性のインクを硬化させるステップと
を含む方法。
【請求項１９】
前記ステップｂ）が、エンボス加工することを含む、請求項１８に記載の方法。
【請求項２０】
前記ピラミッド形構造物が、少なくとも３つの実質的に平坦な面を有し、前記インクが、粘性のキャリヤーおよびカラー・シフト・フレークで構成される、請求項１８に記載の方法。
【請求項２１】
前記印刷するステップが、インタリオ印刷工程を用いて実施され、前記インクが光学的可変フレークを含む、請求項１８に記載の方法。
【請求項２２】
前記光学的可変フレークがカラー・シフト・フレークであり、前記小さなピラミッド形構造物を印刷するために使用されるプレートに凹部が形成されており、凹部が逆ピラミッド形を有する、請求項２１に記載の方法。
【誤訳訂正２】
【訂正対象書類名】明細書
【訂正対象項目名】０００１
【訂正方法】変更
【訂正の内容】
【０００１】
本発明は、一般に、基板が回転されたとき、または観察者が基板の周りを回ったとき、構造物を観察したときに知覚される色が変わる、基板上に形成される構造物のアレイに関する。
【誤訳訂正３】
【訂正対象書類名】明細書
【訂正対象項目名】００１９
【訂正方法】変更
【訂正の内容】
【００１９】
図１に示されている基本単位セルは、ピラミッド構造物の両側に（１）と（２）の番号が付けられた面を有する。面（１）と（２）は、縦方向（ｍａｃｈｉｎｅ  ｄｉｒｅｃｔｉｏｎ）になるように画定されることになる。したがって、縦方向は、ウェブ移動方向を指す。提示される大抵のモデルでは、これらの面は、概して非縦方向にある面（３）と面（４）より大きいコーティング厚を有するものと仮定されることになる。
【誤訳訂正４】
【訂正対象書類名】明細書
【訂正対象項目名】００７０
【訂正方法】変更
【訂正の内容】
【００７０】
キャリヤー内のフレークの濃度は、インクの総重量に基づいて５〜５０重量％の範囲内にあり、インタリオ・ペーパ・ワイプ・インク（ｐａｐｅｒ  ｗｉｐｅ  ｉｎｋ）については、好ましくは２０〜４０％、より好ましくは３０％、ＵＶシルクスクリーン・インクについては、好ましくは２０〜４０％、より好ましくは２０％、ＵＶフレキソインク（ｆｌｅｘｏｇｒａｐｈｉｃ  ｉｎｋ）については、好ましくは２０〜４０％、より好ましくは２５％の範囲内にある。そのような濃度および配合は、ＳＩＣＰＡ  Ｈｏｌｄｉｎｇに譲渡されたＷＯ２００７／１３１８３３に示されており、その全体を参照により組み込む。フレークの少なくとも一部は、単一キャビティまたは多キャビティのファブリ・ペロー構造を形成しうる。一実施形態において、少なくともいくつかのフレークは、それらに形成された回折パターンを有しうる。好適には、フレークの平均最大寸法は、フレークが一部を形成するピラミッド形の構造物の高さの半分未満である。
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
下記の理化学的性質を有するβ−ホスホグルコムターゼ。
（１）作用
Ｄ−グルコース−６−リン酸をβ−Ｄ−グルコース−１−リン酸に変換し、β−Ｄ−グルコース−１−リン酸をＤ−グルコース−６−リン酸に変換する；
（２）分子量
ＳＤＳ−ゲル電気泳動法において、２５，０００±５，０００ダルトン；
（３）至適温度
１０ｍＭのＭｇ２＋イオン存在下、ｐＨ６．５、３０分間反応の条件下で６５℃；
（４）至適ｐＨ
１０ｍＭのＭｇ２＋イオン存在下、５５℃、３０分間反応の条件下でｐＨ６．５；
（５）温度安定性
１０ｍＭのＭｇ２＋イオン存在下、ｐＨ６．５、３０分間保持する条件下で６０℃まで安定；
（６）ｐＨ安定性
１０ｍＭのＭｇ２＋イオン存在下、３７℃、２４時間保持する条件下でｐＨ４．５乃至９．０の範囲で安定；及び
（７）金属イオンによる活性化
Ｍｇ２＋、Ｍｎ２＋、Ｃｏ２＋イオンにより活性化される；
【請求項２】
配列表における配列番号１に記載のアミノ酸配列か、当該アミノ酸配列において１個以上１０個未満のアミノ酸残基が置換、欠失又は付加したアミノ酸配列を有する請求項１記載のβ−ホスホグルコムターゼ。
【請求項３】
請求項２記載のβ−ホスホグルコムターゼをコードするＤＮＡ。
【請求項４】
ＤＮＡが、配列表における配列番号２に記載の塩基配列か、遺伝暗号の縮重に基づきコードするアミノ酸配列を変えることなく配列表における配列番号２に記載の塩基配列における塩基の１個又は２個以上が他の塩基に置換した塩基配列、又は、それらの塩基配列に相補的な塩基配列を有するＤＮＡである請求項３記載のＤＮＡ。
【請求項５】
請求項３又は４記載のＤＮＡと自律複製可能なベクターＤＮＡとを含んでなる組換えＤＮＡ。
【請求項６】
請求項５記載の組換えＤＮＡを適宜の宿主に導入して得られる形質転換体。
【請求項７】
請求項１又は２記載のβ−ホスホグルコムターゼ産生能を有する微生物を栄養培地で培養し、培養物から産生したβ−ホスホグルコムターゼを採取することを特徴とするβ−ホスホグルコムターゼの製造方法。
【請求項８】
微生物が、請求項６記載の形質転換体である請求項７記載のβ−ホスホグルコムターゼの製造方法。
【請求項９】
下記の工程を含んでなるオリゴ糖の製造方法。
（１）請求項１又は２記載のβ−ホスホグルコムターゼをＤ−グルコース−６−リン酸に作用させてβ−Ｄ−グルコース−１−リン酸に変換する工程；
（２）得られるβ−Ｄ−グルコース−１−リン酸を二糖類ホスホリラーゼの共存下でグルコースと反応させオリゴ糖を生成させる工程；及び
（３）得られるオリゴ糖を採取する工程；
【請求項１０】
二糖類ホスホリラーゼが、トレハロースホスホリラーゼ又はコージビオースホスホリラーゼである請求項９記載のオリゴ糖の製造方法。
【手続補正２】
【補正対象書類名】明細書
【補正対象項目名】００１０
【補正方法】変更
【補正の内容】
【００１０】
β−ＰＧＭは、β−Ｇ１ＰとＧ６Ｐの相互変換を触媒する酵素である。本発明のβ−ＰＧＭとは、具体的には下記の理化学的性質を有する酵素を意味する。
（１）作用
Ｇ６Ｐをβ−Ｇ１Ｐに変換し、β−Ｇ１ＰをＧ６Ｐに変換する；
（２）分子量
ＳＤＳ−ゲル電気泳動法において、２５，０００±５，０００ダルトン；
（３）至適温度
１０ｍＭのＭｇ２＋イオン存在下、ｐＨ６．５、３０分間反応の条件下で６５℃；
（４）至適ｐＨ
１０ｍＭのＭｇ２＋イオン存在下、５５℃、３０分間反応の条件下でｐＨ６．５；
（５）温度安定性
１０ｍＭのＭｇ２＋イオン存在下、ｐＨ６．５、３０分間保持する条件下で６０℃まで安定；
（６）ｐＨ安定性
１０ｍＭのＭｇ２＋イオン存在下、３７℃、２４時間保持する条件下でｐＨ４．５乃至９．０の範囲で安定；
（７）金属イオンによる活性化
Ｍｇ２＋、Ｍｎ２＋、Ｃｏ２＋イオンにより活性化される；
【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
気道が適切に開いた状態にある、患者の口腔及び喉間の最適な相対角度を定めるステップと、
前記患者の頭部に位置する呼吸マスクに適合するように構成されたくぼみ部、凹部、空洞部、開口部、及び隆起部の少なくとも１つを備える頭部位置決め枕を、前記患者の頭部及び首に対して調節することによって、前記最適な相対角度となる枕の位置とするように、枕の構成を変更及び変形するステップと
を含む呼吸タイトレーションのための方法。
【請求項２】
前記マスク、及び前記マスクへの供給用のホース又は配管に対する圧力を軽減するように、前記頭部位置決め枕上に保持される前記患者の頭部及び前記呼吸マスクに対して前記頭部位置決め枕を調節するステップをさらに含む請求項１に記載の方法。
【請求項３】
前記枕がカバーを備えている、請求項１に記載の方法。
【請求項４】
前記カバーの少なくとも一部が編地を有している、請求項３に記載の方法。
【請求項５】
前記カバーの少なくとも一部がキルト風の織布を有している、請求項３に記載の方法。
【請求項６】
前記枕のカバーが前記枕の外形及び形態に実質的に従うように構成されている、請求項３に記載の方法。
【請求項７】
前記呼吸マスクが、持続気道陽圧マスク、自動調節気道陽圧マスク、二段気道陽圧マスク、又は需要気道陽圧マスクを有している、請求項１に記載の方法。
【請求項８】
前記調節するステップが、前記枕の後側、前側、第１の横側、及び第２の横側のうち少なくとも１つの高さを調節することを含む、請求項１に記載の方法。
【請求項９】
前記調節するステップが、前記患者の首の支持を増やし又は減らすことを含む、請求項１に記載の方法。
【請求項１０】
前記調節するステップが、前記患者の頭部及び首の傾斜角度のうち少なくとも１つを変更するように前記枕を調節することを含む、請求項１に記載の方法。
【請求項１１】
前記患者の頭部及び首のうち少なくとも１つの回転位置を調節するステップをさらに含む請求項１に記載の方法。
【請求項１２】
前記枕が流体で満たされた嚢を有している、請求項１に記載の方法。
【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
タイヤを取り付けるタイヤホイールと、
前記タイヤホイールを支持するホイールハブ機構と、
車軸よりも車両上下方向の下側において前記ホイールハブ機構と車体とを連結する第１のリンク部材と、
車軸よりも車両上下方向の下側において前記ホイールハブ機構と車体とを連結し、前記第１のリンク部材と車両上面視において交差する第２のリンク部材とを有し、
車両上面視における前記第１のリンク部材と第２のリンク部材との交点をロアピボット点とするキングピン軸のキャスタトレイルが、タイヤ接地面内に位置するように設定した
ことを特徴とする車両用サスペンション装置。
【請求項２】
前記第１のリンク部材および第２のリンク部材の車体側取付位置を、車軸よりも車両前後方向後方に配置したことを特徴とする請求項１記載の車両用サスペンション装置。
【請求項３】
車両幅方向に移動し、前記ホイールハブ機構を転舵させるステアリングラック部材を、車軸よりも車両前後方向前方に配置したことを特徴とする請求項２記載の車両用サスペンション装置。
【請求項４】
前記第１のリンク部材および第２のリンク部材の車体側取付位置を、車軸よりも車両前後方向前方に配置したことを特徴とする請求項１記載の車両用サスペンション装置。
【請求項５】
車両幅方向に移動し、前記ホイールハブ機構を転舵させるステアリングラック部材を、車軸よりも車両前後方向後方に配置したことを特徴とする請求項４記載の車両用サスペンション装置。
【請求項６】
ステアリングホイールの変位を検出し、検出結果に基づいてステアリングラックをアクチュエータで変位させるステアバイワイヤシステムによる転舵輪を懸架することを特徴とする請求項１から５のいずれか１項に記載の車両用サスペンション装置。
【請求項７】
ステアリングホイールの操舵状態に応じてアクチュエータを作動させて転舵輪を転舵するコントロール／駆動回路ユニットと、
前記転舵輪を車体に支持するサスペンション装置とを備え、
前記サスペンション装置は、タイヤを取り付けるタイヤホイールを支持するホイールハブ機構と、車軸よりも車両上下方向の下側において前記ホイールハブ機構と車体とを連結する第１のリンク部材と、車軸よりも車両上下方向の下側において前記ホイールハブ機構と車体とを連結し、前記第１のリンク部材と車両上面視において交差する第２のリンク部材とを有し、
車両上面視における前記第１のリンク部材と第２のリンク部材との交点をロアピボット点とするキングピン軸のキャスタトレイルが、タイヤ接地面内に位置するように設定し、
前記コントロール／駆動回路ユニットは、前記アクチュエータを作動させて前記転舵輪にセルフアライニングのための復元力を発生することで転舵輪を転舵し、車両の直進性を確保することを特徴とする自動車。
【手続補正２】
【補正対象書類名】明細書
【補正対象項目名】発明の名称
【補正方法】変更
【補正の内容】
【発明の名称】車両用サスペンション装置および自動車
【手続補正３】
【補正対象書類名】明細書
【補正対象項目名】０００１
【補正方法】変更
【補正の内容】
【０００１】
本発明は、車体を懸架する車両用サスペンション装置および自動車に関する。
【手続補正４】
【補正対象書類名】明細書
【補正対象項目名】０００５
【補正方法】変更
【補正の内容】
【０００５】
以上の課題を解決するため、本発明に係る車両用サスペンション装置は、車軸よりも車両上下方向の下側でホイールハブ機構と車体とを連結する第１のリンク部材と第２のリンク部材とを車両上面視で交差させて配置した。
また、車両上面視における前記第１のリンク部材と第２のリンク部材との交点をロアピボット点とするキングピン軸のキャスタトレイルが、タイヤ接地面内に位置するように設定した。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
吸込具と、掃除機本体に内蔵される電動送風機と、前記吸込具および前記電動送風機の間に形成されている通風路と、を備え、前記通風路の少なくとも一部が筒状の延長管により形成されている電気掃除機において、
前記延長管を構成する延長管本体が、炭素繊維および熱可塑性樹脂を含む炭素繊維含有樹脂からなり、
前記炭素繊維含有樹脂に含まれる炭素繊維の量は、前記炭素繊維含有樹脂中、５質量％以上１５質量％以下であることを特徴とする、電気掃除機。
【請求項２】
前記延長管本体が、前記炭素繊維含有樹脂を射出成形またはブロー成形してなることを特徴とする、請求項１に記載の電気掃除機。
【請求項３】
前記延長管本体は、外管本体と、該外管本体に伸縮自在かつ摺動可能に収容された内管本体と、を有することを特徴とする、請求項１または２に記載の電気掃除機。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
回転清掃体と該回転清掃体を回転させる電動機とを有する吸込具と、掃除機本体の内部に設けられる電動送風機と、前記吸込具および前記電動送風機の間に形成される通風路と、を備え、前記通風路の少なくとも一部が筒状の延長管により形成され、
前記延長管は、炭素繊維および熱可塑性樹脂を含む炭素繊維含有樹脂から形成される延長管本体を有し、
前記延長管本体の両端部に設けられた通電端子と、
前記通電端子間を電気的に接続する給電手段と、
前記通電端子を支持し、前記延長管本体に固定される絶縁部材と、を備え、
前記掃除機本体から前記電動機に前記通電端子を介して給電されることを特徴とする電気掃除機。
【請求項２】
請求項１に記載の電気掃除機において、
前記延長管本体に２つのリブが設けられ、
前記２つのリブの間に形成された前記延長管本体の面をカバーするように前記絶縁部材を配置したことを特徴とする電気掃除機。
【手続補正２】
【補正対象書類名】明細書
【補正対象項目名】０００８
【補正方法】変更
【補正の内容】
【０００８】
本発明は、回転清掃体と該回転清掃体を回転させる電動機とを有する吸込具と、掃除機本体の内部に設けられる電動送風機と、前記吸込具および前記電動送風機の間に形成される通風路と、を備え、前記通風路の少なくとも一部が筒状の延長管により形成され、前記延長管は、炭素繊維および熱可塑性樹脂を含む炭素繊維含有樹脂から形成される延長管本体を有し、前記延長管本体の両端部に設けられた通電端子と、前記通電端子間を電気的に接続する給電手段と、前記通電端子を支持し、前記延長管本体に固定される絶縁部材と、を備え、前記掃除機本体から前記電動機に前記通電端子を介して給電されることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
絶縁性のチューブ部材と、
前記チューブ部材の基端側に接続された制御ハンドルと、
前記制御ハンドルに固定され、前記制御ハンドル内において端子を有するコネクタと、  前記チューブ部材の先端領域の外周面に固定されたリング状電極と、
前記チューブ部材の管壁内に配置されたＦＰＣ基板とを備えてなり；
前記ＦＰＣ基板は、前記チューブ部材の管壁内を管軸方向に延びる長尺フィルム部と、  前記チューブ部材の円周方向に延び、前記リング状電極の固定位置において前記チューブ部材に巻き付けられた拡幅フィルム部と、
前記拡幅フィルム部上に形成された金属箔からなり、前記リング状電極の内周面が固着される接点層と、
前記長尺フィルム部上に形成された金属箔からなり、その先端が前記接点層に接続され、前記チューブ部材の管壁内を管軸方向に延びて、その後端が前記コネクタの端子と電気的に接続される導線層と
を有していることを特徴とする電極カテーテル。
【請求項２】
絶縁性のチューブ部材と、
前記チューブ部材の基端側に接続された制御ハンドルと、
前記制御ハンドルに固定され、前記制御ハンドル内において複数の端子を有するコネクタと、
前記チューブ部材の先端領域の外周面に各々が離間して固定された複数のリング状電極と、
前記チューブ部材の管壁内に配置されたＦＰＣ基板とを備えてなり；
前記ＦＰＣ基板は、前記チューブ部材の管壁内を管軸方向に延びる長尺フィルム部と、  前記チューブ部材の円周方向に延び、前記リング状電極の各々の固定位置において前記チューブ部材に巻き付けられた複数の拡幅フィルム部と、
前記拡幅フィルム部の各々の上に形成された金属箔からなり、前記リング状電極の各々の内周面が固着される複数の接点層と、
前記長尺フィルム部上に形成された金属箔からなり、各々の先端が前記接点層の各々に接続され、前記チューブ部材の管壁内を互いに絶縁された状態で管軸方向に延び、各々の後端が前記コネクタの端子の各々と電気的に接続される複数の導線層と
を有していることを特徴とする電極カテーテル。
【請求項３】
前記チューブ部材は、内管部と外管部とにより構成され、
前記ＦＰＣ基板は、前記内管部と前記外管部との間に配置され、
前記外管部の壁材の一部が除去されて露出した前記ＦＰＣ基板の接点層に、前記リング状電極の内周面が固着されることにより、前記リング状電極が前記チューブ部材の先端領域の外周面に固定されていることを特徴とする請求項１または請求項２に記載の電極カテーテル。
【請求項４】
前記ＦＰＣ基板は、前記制御ハンドルの内部において、前記チューブ部材の管壁内から延び出し、前記ＦＰＣ基板の導線層の各々の後端は、前記コネクタの端子の各々と電気的に接続されていることを特徴とする請求項２または請求項３に記載の電極カテーテル。
【請求項５】
前記コネクタの端子の各々に接続された金属箔からなる複数の導線層を有するコネクタ側ＦＰＣ基板を備えてなり、
前記チューブ部材の管壁内から延び出した前記ＦＰＣ基板と、前記コネクタ側ＦＰＣ基板とを介して、前記リング状電極の各々と、前記コネクタの端子の各々とが電気的に接続されていることを特徴とする請求項４に記載の電極カテーテル。
【請求項６】
前記チューブ部材の管壁内から延び出した前記ＦＰＣ基板と、前記コネクタ側ＦＰＣ基板とが、雄雌コネクタを介して連結されていることを特徴とする請求項５に記載の電極カテーテル。
【請求項７】
前記ＦＰＣ基板において先端からｎ番目（但し、ｎは２以上の整数である）に位置する前記接点層が、少なくとも、先端から（ｎ−１）番目に位置する前記接点層に接続された前記導線層によって分断されていることを特徴とする請求項２乃至請求項６の何れかに記載の電極カテーテル。
【手続補正２】
【補正対象書類名】明細書
【補正対象項目名】００１０
【補正方法】変更
【補正の内容】
【００１０】
（２）本発明の電極カテーテルは、絶縁性のチューブ部材と、
前記チューブ部材の基端側に接続された制御ハンドルと、
前記制御ハンドルに固定され、前記制御ハンドル内において複数の端子を有するコネクタと、
前記チューブ部材の先端領域の外周面に各々が離間して固定された複数のリング状電極と、
前記チューブ部材の管壁内に配置されたＦＰＣ基板とを備えてなり；
前記ＦＰＣ基板は、前記チューブ部材の管壁内を管軸方向に延びる長尺フィルム部と、  前記チューブ部材の円周方向に延び、前記リング状電極の各々の固定位置において前記チューブ部材に巻き付けられた複数の拡幅フィルム部と、
前記拡幅フィルム部の各々の上に形成された金属箔からなり、前記リング状電極の各々の内周面が固着される複数の接点層と、
前記長尺フィルム部上に形成された金属箔からなり、各々の先端が前記接点層の各々に接続され、前記チューブ部材の管壁内を互いに絶縁された状態で管軸方向に延び、各々の後端が前記コネクタの端子の各々と電気的に接続される複数の導線層と
を有していることを特徴とする。
【手続補正書】
【提出日】平成25年3月25日(2013.3.25)
【手続補正１】
【補正対象書類名】特許請求の範囲
【補正対象項目名】請求項２
【補正方法】変更
【補正の内容】
【請求項２】
前記当選役抽選手段は、前記停止操作の順番により前記入賞ライン上に停止表示される停止結果が変化し得る特殊役を、前記特定遊技状態での遊技で前記特定遊技状態以外での遊技に比して決定し易く構成され、
前記特殊役の停止結果には、遊技媒体の払出しが賞として付与される第１停止結果及び第２停止結果と、遊技媒体の払出しが賞として付与されない第３停止結果とを含み、
前記遊技実行手段は、
前記第１特別遊技状態での遊技で、前記特定条件が成立する場合、前記特定終了条件が成立するまでの各遊技において前記当選役抽選手段が決定する当選役に基づいて前記増加抽選を行い得る前記特定遊技状態を行わせ、
前記第１特別遊技状態での遊技からの前記特定遊技状態での各遊技で、前記第１停止結果が停止表示される場合に前記増加抽選を行う一方、前記第２特別遊技状態での遊技からの前記特定遊技状態での各遊技で、前記第１停止結果が停止表示される場合に前記増加抽選を行うとともに前記第１停止結果を停止表示させる前記停止操作の順番を特定可能な情報を報知する請求項１に記載の遊技機。
【手続補正２】
【補正対象書類名】特許請求の範囲
【補正対象項目名】請求項３
【補正方法】変更
【補正の内容】
【請求項３】
前記当選役抽選手段は、前記停止操作の順番により前記入賞ライン上に停止表示される停止結果が変化し得る特殊役を、前記特定遊技状態での遊技で前記特定遊技状態以外での遊技に比して決定し易く構成され、
前記特殊役の停止結果には、遊技媒体の払出しが賞として付与される第１停止結果及び第２停止結果と、遊技媒体の払出しが賞として付与されない第３停止結果とを含み、
前記特定遊技状態での遊技における前記特定終了条件は、遊技媒体の払出しが規定回数行われる及び前記規定回数よりも多い上限回数の遊技が行われる何れかを満たす場合に成立とされ、
前記遊技実行手段は、
前記第１特別遊技状態での遊技で、前記特定条件が成立する場合、前記特定終了条件が成立するまでの各遊技において前記当選役抽選手段が決定する当選役に基づいて前記増加抽選を行い得る前記特定遊技状態を行わせ、
前記第１特別遊技状態での遊技からの前記特定遊技状態での各遊技で、前記第１停止結果が停止表示される場合に前記増加抽選を行う一方、前記第２特別遊技状態での遊技からの前記特定遊技状態での各遊技で、遊技を行う毎に前記増加抽選を行うとともに前記上限回数の遊技が行われるように当選内容に応じて前記停止操作の順番を特定可能な情報を報知する請求項１又は請求項２に記載の遊技機。
【手続補正３】
【補正対象書類名】明細書
【補正対象項目名】０００９
【補正方法】変更
【補正の内容】
【０００９】
請求項３に記載の発明は、請求項１又は請求項２に記載の遊技機において、前記当選役抽選手段は、前記停止操作の順番により前記入賞ライン上に停止表示される停止結果が変化し得る特殊役を、前記特定遊技状態での遊技で前記特定遊技状態以外での遊技に比して決定し易く構成され、前記特殊役の停止結果には、遊技媒体の払出しが賞として付与される第１停止結果及び第２停止結果と、遊技媒体の払出しが賞として付与されない第３停止結果とを含み、前記特定遊技状態での遊技における前記特定終了条件は、遊技媒体の払出しが規定回数行われる及び前記規定回数よりも多い上限回数の遊技が行われる何れかを満たす場合に成立とされ、前記遊技実行手段は、前記第１特別遊技状態での遊技で、前記特定条件が成立する場合、前記特定終了条件が成立するまでの各遊技において前記当選役抽選手段が決定する当選役に基づいて前記増加抽選を行い得る前記特定遊技状態を行わせ、前記第１特別遊技状態での遊技からの前記特定遊技状態での各遊技で、前記第１停止結果が停止表示される場合に前記増加抽選を行う一方、前記第２特別遊技状態での遊技からの前記特定遊技状態での各遊技で、遊技を行う毎に前記増加抽選を行うとともに前記上限回数の遊技が行われるように当選内容に応じて前記停止操作の順番を特定可能な情報を報知することを要旨とする。
【手続補正書】
【提出日】平成25年9月10日(2013.9.10)
【手続補正１】
【補正対象書類名】明細書
【補正対象項目名】００４０
【補正方法】変更
【補正の内容】
【００４０】
第４の固液分離機４４において、沈殿化した重金属類をケーキＣ４側に回収するとともに、ろ液Ｗ５をセメント製造設備の原料乾燥機、排ガス調湿等において有効利用する。本実施の形態においても、セメント製造設備のセメントキルンの前段の工程で、比較的フッ素濃度の高いろ液Ｗ５を使用する場合であっても、ろ液Ｗ５中に含まれるフッ素の大部分は、クリンカとともに排出されるため、フッ素がセメント製造工程内で循環してクリンカ中のフッ素濃度が極端に上昇する可能性は低い。また、ケーキＣ４側に沈殿しなかったセレン及び重金属類についてもクリンカとともに排出される。
【手続補正２】
【補正対象書類名】明細書
【補正対象項目名】００４５
【補正方法】変更
【補正の内容】
【００４５】
１ 処理装置
２ ガス抽気部
３ ガス処理部
４ 微粉末処理部
５ セメントキルン
６ プローブ
７ 冷却ファン
１０ サイクロン
１１ 冷却器
１２ 冷却ファン
１３ バグフィルタ
１４ ダストタンク
２０ 調整槽
２１ 第１の固液分離機
２２ スラリータンク
２３、２４ 調整槽
２５ 浮選機
２６ 第２の固液分離機
２８ 調整槽
２９ 第３の固液分離機
３０ 蒸発乾固装置
４１ 処理装置
４２ 第３の固液分離機
４４ 第４の固液分離機
Ｇ１ 抽気ガス
Ｇ２、Ｇ３ 排ガス
Ｄ１ 粗粉
Ｄ２ 微粉
Ｄ３ ダスト
Ｄ４ ダスト
Ｄ５ 塩素バイパスダスト
Ｓ１〜Ｓ５ スラリー
Ｃ１〜Ｃ４ ケーキ
Ｗ１〜Ｗ５ ろ液
Ｆ フロス
Ｔ テール
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
複数の役がそれぞれ所定の当選確率を有するように定められた抽選テーブルと、
前記抽選テーブルを用いた抽選を行う抽選手段と、
前記抽選手段の抽選結果に基づいて、リールを停止制御するリール停止制御手段と
を備えるスロットマシンにおいて、
前記抽選テーブルは、当該遊技で投入された数の遊技媒体を自動投入して再遊技を行う権利を遊技者に与える再遊技役の当選確率が異なる少なくとも３種類を備え、
前記抽選手段は、いずれか１つの前記抽選テーブルを用いて抽選を行い、
前記抽選手段で用いる前記抽選テーブルを、他の前記抽選テーブルに切り替えるための条件を満たしたか否かを判定する条件判定手段と、
前記条件判定手段により他の前記抽選テーブルに切り替えるための条件を満たしたと判定されたときは、それまでの前記抽選テーブルから他の前記抽選テーブルに切り替える抽選テーブル切替え手段と
を備え、
前記抽選手段による抽選結果には、特定の図柄の組合せが停止可能となる抽選結果を有し、
前記リール停止制御手段は、前記抽選手段で前記特定の図柄の組合せが停止可能となる抽選結果となったときは、前記特定の図柄の組合せを停止可能とし、
前記条件判定手段は、再遊技役の当選確率が最も低く設定された前記抽選テーブルを除く特定の抽選テーブルを用いて前記抽選手段による抽選を行った結果、前記特定の図柄の組合せが停止可能となる抽選結果となり、前記特定の図柄の組合せが停止したときは、再遊技役の当選確率が最も低く設定された前記抽選テーブルを除く他の特定の抽選テーブルに切り替えるための条件を満たすと判定し、
前記抽選テーブル切替え手段は、前記条件判定手段により前記特定の抽選テーブルから前記他の特定の抽選テーブルに切り替えるための条件を満たしたと判定されたときは、前記抽選手段で用いる前記抽選テーブルを前記他の特定の抽選テーブルに切り替える
ことを特徴とするスロットマシン。
【請求項２】
請求項１において、
前記抽選テーブル切替え手段は、前記特定の抽選テーブルを用いて前記抽選手段による抽選を行った結果、前記特定の図柄の組合せが停止可能となる抽選結果となったときであっても、前記特定の図柄の組合せが停止しなかったときは、前記他の特定の抽選テーブルに切り替えない
ことを特徴とするスロットマシン。
【手続補正２】
【補正対象書類名】明細書
【補正対象項目名】０００８
【補正方法】変更
【補正の内容】
【０００８】
本発明は、以下の解決手段によって、上述の課題を解決する。
請求項１の発明は、
複数の役がそれぞれ所定の当選確率を有するように定められた抽選テーブルと、
前記抽選テーブルを用いた抽選を行う抽選手段と、
前記抽選手段の抽選結果に基づいて、リールを停止制御するリール停止制御手段と
を備えるスロットマシンにおいて、
前記抽選テーブルは、当該遊技で投入された数の遊技媒体を自動投入して再遊技を行う権利を遊技者に与える再遊技役の当選確率が異なる少なくとも３種類を備え、
前記抽選手段は、いずれか１つの前記抽選テーブルを用いて抽選を行い、
前記抽選手段で用いる前記抽選テーブルを、他の前記抽選テーブルに切り替えるための条件を満たしたか否かを判定する条件判定手段と、
前記条件判定手段により他の前記抽選テーブルに切り替えるための条件を満たしたと判定されたときは、それまでの前記抽選テーブルから他の前記抽選テーブルに切り替える抽選テーブル切替え手段と
を備え、
前記抽選手段による抽選結果には、特定の図柄の組合せが停止可能となる抽選結果を有し、
前記リール停止制御手段は、前記抽選手段で前記特定の図柄の組合せが停止可能となる抽選結果となったときは、前記特定の図柄の組合せを停止可能とし、
前記条件判定手段は、再遊技役の当選確率が最も低く設定された前記抽選テーブルを除く特定の抽選テーブルを用いて前記抽選手段による抽選を行った結果、前記特定の図柄の組合せが停止可能となる抽選結果となり、前記特定の図柄の組合せが停止したときは、再遊技役の当選確率が最も低く設定された前記抽選テーブルを除く他の特定の抽選テーブルに切り替えるための条件を満たすと判定し、
前記抽選テーブル切替え手段は、前記条件判定手段により前記特定の抽選テーブルから前記他の特定の抽選テーブルに切り替えるための条件を満たしたと判定されたときは、前記抽選手段で用いる前記抽選テーブルを前記他の特定の抽選テーブルに切り替える
ことを特徴とする。
請求項２の発明は、請求項１において、
前記抽選テーブル切替え手段は、前記特定の抽選テーブルを用いて前記抽選手段による抽選を行った結果、前記特定の図柄の組合せが停止可能となる抽選結果となったときであっても、前記特定の図柄の組合せが停止しなかったときは、前記他の特定の抽選テーブルに切り替えない
ことを特徴とする。
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
遊技の基本進行制御を司る主制御部と、遊技の進行に伴い前記主制御部から出力されるコマンドを受けて所定の演出制御を行う副制御部と、を有する遊技機において、
前記主制御部は、
遊技球が始動口に入球することを契機に、大当りか否かを決定する当否決定手段と、
前記当否決定手段の決定結果に基づき、複数の変動パターンのうちのいずれかを選択する変動パターン選択手段と、
前記変動パターン選択手段によって選択された変動パターンに基づいて特別図柄表示部にて特別図柄の変動表示を行い、該変動表示している特別図柄を前記当否決定手段の決定結果に対応する図柄で停止表示する特別図柄表示手段と、
前記変動パターン選択手段によって選択された変動パターンに対応するコマンドを、前記副制御部に送信するコマンド送信手段と、
前記当否決定手段の決定結果が前記大当りであって、前記特別図柄が該大当りに対応する大当り図柄で停止表示することで、閉状態の大入賞口を開状態にする大当り遊技を実行する大当り遊技実行手段と、
前記当否決定手段により前記大当りが決定される大当り確率を、通常確率または前記通常確率よりも高い高確率に設定する確率設定手段を備え、
前記変動パターン選択手段は、前記当否決定手段の決定結果が前記大当りでない場合に所定の確率で特定の変動パターンを選択するものであって、
前記副制御部は、
前記特別図柄表示部と異なる演出表示部にて、第１状態表示または第２状態表示を実行する状態表示実行手段を備え、
前記第２状態表示が実行されるときは、前記第１状態表示が実行されるときよりも、前記大当り確率が前記高確率に設定されている可能性が高いものであって、
前記状態表示実行手段は、
前記大当り確率が前記高確率に設定されて前記第１状態表示を実行しているときに前記特定の変動パターンに対応する特定コマンドを前記主制御部から受けると、前記第２状態表示を実行する
ことを特徴とする遊技機。
【請求項２】
前記副制御部は、前記特定コマンドを受けて前記状態表示実行手段が前記第２状態表示を実行する際に、前記第２状態表示の実行に対応する所定の演出を前記演出表示部で実行する演出実行手段を備えることを特徴とする請求項１に記載の遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技の基本進行制御を司る主制御部と、遊技の進行に伴い前記主制御部から出力されるコマンドを受けて所定の演出制御を行う副制御部と、を有する遊技機において、
前記主制御部は、
遊技球が始動口に入球することを契機に、大当りか否かを決定する当否決定手段と、
前記当否決定手段の決定結果に基づき、複数の変動パターンのうちのいずれかを選択する変動パターン選択手段と、
前記変動パターン選択手段によって選択された変動パターンに基づいて特別図柄表示部にて特別図柄の変動表示を行い、該変動表示している特別図柄を前記当否決定手段の決定結果に対応する図柄で停止表示する特別図柄表示手段と、
前記変動パターン選択手段によって選択された変動パターンに対応するコマンドを、前記副制御部に送信するコマンド送信手段と、
前記当否決定手段の決定結果が前記大当りであって、前記特別図柄が該大当りに対応する大当り図柄で停止表示することで、閉状態の大入賞口を開状態にする大当り遊技を実行する大当り遊技実行手段と、
前記当否決定手段により前記大当りが決定される大当り確率を、通常確率または前記通常確率よりも高い高確率に設定する確率設定手段を備え、
前記変動パターン選択手段は、前記当否決定手段の決定結果が前記大当りでない場合に所定の確率で特定の変動パターンを選択するものであって、
前記副制御部は、
前記特別図柄表示部と異なる演出表示部にて、第１状態表示または第２状態表示を実行する状態表示実行手段を備え、
前記第２状態表示が実行されるときは、前記第１状態表示が実行されるときよりも、前記大当り確率が前記高確率に設定されている可能性が高いものであって、
前記状態表示実行手段は、
前記大当り確率が前記高確率に設定されて前記第１状態表示を実行しているときに前記特定の変動パターンに対応する特定コマンドを前記主制御部から受けると、前記第２状態表示を実行することを特徴とする。
また、  前記副制御部は、前記特定コマンドを受けて前記状態表示実行手段が前記第２状態表示を実行する際に、前記第２状態表示の実行に対応する所定の演出を前記演出表示部で実行する演出実行手段を備えることを特徴とする。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
所定の遊技媒体を検出する遊技媒体検出手段と、
当該遊技機における遊技制御を行う演算処理部を有する遊技制御装置と、
前記遊技媒体検出手段の遊技媒体検出に基づき、前記遊技制御装置で所定の排出条件が成立した場合に、排出装置を駆動して遊技媒体を遊技者に付与可能な排出制御装置と、
前記排出装置から排出される遊技媒体を検出する排出遊技媒体検出手段と、を備えた遊技機において、
前記遊技制御装置には、
前記遊技媒体検出手段からの検出信号と前記排出遊技媒体検出手段からの検出信号が入力され、該検出信号を検査情報として取り出すための検査情報取り出し部を備え、
前記検査情報取り出し部には、
前記遊技制御装置の回路基板に形成されたスルーホール群、若しくは配線パターンで構成されるとともに、外部の検査装置に接続可能な所定の信号端子を取付可能であり、
前記遊技媒体検出手段から当該遊技制御装置の演算処理部に入力される検出信号と、前記排出遊技媒体検出手段から当該遊技制御装置に入力される検出信号を、該演算処理部を介さずに前記検査情報取り出し部に伝達するように構成したことを特徴とする遊技機。
【手続補正２】
【補正対象書類名】明細書
【補正対象項目名】０００４
【補正方法】変更
【補正の内容】
【０００４】
しかしながら、従来の遊技機は、検査に手間がかかって非効率であるという問題点があった。
【手続補正３】
【補正対象書類名】明細書
【補正対象項目名】０００５
【補正方法】変更
【補正の内容】
【０００５】
そこで本発明は、上記問題点に鑑みなされたもので、検査の手間の軽減と効率の改善を図ることを目的とする。
【手続補正４】
【補正対象書類名】明細書
【補正対象項目名】０００６
【補正方法】変更
【補正の内容】
【０００６】
上記目的達成のため、請求項１記載の遊技機は、所定の遊技媒体を検出する遊技媒体検出手段と、
当該遊技機における遊技制御を行う演算処理部を有する遊技制御装置と、
前記遊技媒体検出手段の遊技媒体検出に基づき、前記遊技制御装置で所定の排出条件が成立した場合に、排出装置を駆動して遊技媒体を遊技者に付与可能な排出制御装置と、
前記排出装置から排出される遊技媒体を検出する排出遊技媒体検出手段と、を備えた遊技機において、
前記遊技制御装置には、
前記遊技媒体検出手段からの検出信号と前記排出遊技媒体検出手段からの検出信号が入力され、該検出信号を検査情報として取り出すための検査情報取り出し部を備え、
前記検査情報取り出し部には、
前記遊技制御装置の回路基板に形成されたスルーホール群、若しくは配線パターンで構成されるとともに、外部の検査装置に接続可能な所定の信号端子を取付可能であり、
前記遊技媒体検出手段から当該遊技制御装置の演算処理部に入力される検出信号と、前記排出遊技媒体検出手段から当該遊技制御装置に入力される検出信号を、該演算処理部を介さずに前記検査情報取り出し部に伝達するように構成したことを特徴とする。
ここで、「遊技情報」とは、遊技機の通常の運転状態で遊技制御装置から出力される情報（検査のためだけに出力される情報を除くもの）を意味し、少なくとも遊技状態情報（例えば、大当たり状態であることを示す大当たり信号）と、遊技制御情報（例えば、遊技盤上の役物作動用のソレノイドを駆動するソレノイド駆動信号）とが含まれる。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
所定の遊技媒体を検出する遊技媒体検出手段と、
当該遊技機における遊技制御を行う演算処理部を有する遊技制御装置と、を備えた遊技機において、
前記遊技制御装置は、
前記遊技媒体検出手段からの検出信号と前記演算処理部から出力される出力信号を検査情報として取り出すための検査情報取り出し部を備え、
前記遊技制御装置の回路基板は、透明又は半透明なケースに収納され、前記検査情報取り出し部を該透明又は半透明なケースを介して透視可能であり、
前記検査情報取り出し部には、
前記遊技制御装置の回路基板に形成された所定の配線パターンで構成されるとともに、当該遊技機の検査の際には、外部の検査装置に接続可能な所定の信号端子をスルーホールを介すことなく前記所定の配線パターンに半田付けすることにより取付可能であり、
前記遊技制御装置の演算処理部に信号を入力するための入力ポートの前段から、前記遊技媒体検出手段から当該遊技制御装置の演算処理部に入力される信号を、該演算処理部を介さずに伝達するように構成するととともに、
前記遊技制御装置の演算処理部からの信号を出力するための出力ポートの後段から、当該遊技制御装置に接続される遊技装置を駆動するための出力信号を伝達するように構成したことを特徴とする遊技機。
【手続補正２】
【補正対象書類名】明細書
【補正対象項目名】０００４
【補正方法】変更
【補正の内容】
【０００４】
しかしながら、従来の遊技機は、検査に手間がかかって非効率であるという問題点があった。
【手続補正３】
【補正対象書類名】明細書
【補正対象項目名】０００５
【補正方法】変更
【補正の内容】
【０００５】
そこで本発明は、上記問題点に鑑みなされたもので、検査の手間の軽減と効率の改善を図ることを目的とする。
【手続補正４】
【補正対象書類名】明細書
【補正対象項目名】０００６
【補正方法】変更
【補正の内容】
【０００６】
上記目的達成のため、請求項１記載の遊技機は、所定の遊技媒体を検出する遊技媒体検出手段と、
当該遊技機における遊技制御を行う演算処理部を有する遊技制御装置と、を備えた遊技機において、
前記遊技制御装置は、
前記遊技媒体検出手段からの検出信号と前記演算処理部から出力される出力信号を検査情報として取り出すための検査情報取り出し部を備え、
前記遊技制御装置の回路基板は、透明又は半透明なケースに収納され、前記検査情報取り出し部を該透明又は半透明なケースを介して透視可能であり、
前記検査情報取り出し部には、
前記遊技制御装置の回路基板に形成された所定の配線パターンで構成されるとともに、当該遊技機の検査の際には、外部の検査装置に接続可能な所定の信号端子をスルーホールを介すことなく前記所定の配線パターンに半田付けすることにより取付可能であり、
前記遊技制御装置の演算処理部に信号を入力するための入力ポートの前段から、前記遊技媒体検出手段から当該遊技制御装置の演算処理部に入力される信号を、該演算処理部を介さずに伝達するように構成するととともに、
前記遊技制御装置の演算処理部からの信号を出力するための出力ポートの後段から、当該遊技制御装置に接続される遊技装置を駆動するための出力信号を伝達するように構成したことを特徴とする。
ここで、「遊技情報」とは、遊技機の通常の運転状態で遊技制御装置から出力される情報（検査のためだけに出力される情報を除くもの）を意味し、少なくとも遊技状態情報（例えば、大当たり状態であることを示す大当たり信号）と、遊技制御情報（例えば、遊技盤上の役物作動用のソレノイドを駆動するソレノイド駆動信号）とが含まれる。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
支持マトリックス内部に生きた細胞を含む創傷治療組成物であって、該細胞は創傷治療表現型を有し、該組成物は該創傷治療表現型の発生を可能にするために16時間〜24時間にわたって約37℃でインキュベートされ、該細胞はフィブリノゲンのトロンビン媒介型重合によって形成されるフィブリン支持マトリックス内部の真皮線維芽細胞である、前記組成物。
【請求項２】
前記組成物が単層状である、請求項1に記載の創傷治療組成物。
【請求項３】
扱いにくい創傷の治療に有用である、請求項1又は2に記載の創傷治療組成物。
【請求項４】
インキュベーション後に、1〜28日間にわたって、2℃〜8℃の温度で、該創傷治療表現型を保持しながら貯蔵される、請求項1〜3のいずれか1項に記載の創傷治療組成物。
【請求項５】
前記細胞がヒトのものである、請求項1〜4のいずれか1項に記載の創傷治療組成物。
【請求項６】
前記細胞は、90〜100%が線維芽細胞である、請求項1〜5のいずれか1項に記載の創傷治療組成物。
【請求項７】
前記細胞がケラチノサイトを実質的に除外する、請求項1〜6のいずれか1項に記載の創傷治療組成物。
【請求項８】
前記細胞が活性合成型であるか又は急速に活性合成型になることができる、請求項1〜7のいずれか1項に記載の創傷治療組成物。
【請求項９】
前記細胞が増殖性ではなく、且つ/又は老化期にはない、請求項1〜8のいずれか1項に記載の創傷治療組成物。
【請求項１０】
前記細胞がマトリックス内部に懸濁されている、請求項1〜9のいずれか1項に記載の創傷治療組成物。
【請求項１１】
前記マトリックスがタンパク質型であり、3〜12 mg/mlのタンパク質濃度を有する、請求項1〜10のいずれか1項に記載の創傷治療組成物。
【請求項１２】
前記フィブリンの濃度が、3〜12 mg/mlである、請求項11に記載の創傷治療組成物。
【請求項１３】
前記マトリックスが非発熱性及び/又は無菌性である、請求項1〜12のいずれか1項に記載の創傷治療組成物。
【請求項１４】
プロテアーゼ・インヒビターを含む、請求項1〜13のいずれか1項に記載の創傷治療組成物。
【請求項１５】
高タンパク質環境内でインキュベートされる、請求項1〜14のいずれか1項に記載の創傷治療組成物。
【請求項１６】
厚さが8 mm以下である、請求項1〜15のいずれか1項に記載の創傷治療組成物。
【請求項１７】
1 mm2当たり450〜2500個の細胞を含む、請求項1〜16のいずれか1項に記載の創傷治療組成物。
【請求項１８】
前記マトリックスが固形又は半固形である、請求項1〜17のいずれか1項に記載の創傷治療組成物。
【請求項１９】
創傷治療組成物が、該組成物を輸送し及び/又は皮膚表面に該組成物を局所的に塗布するのに適した容器内にパッケージングされている、請求項1〜18のいずれか1項に記載の創傷治療組成物。
【請求項２０】
前記容器は、創傷治療組成物のための格納手段を提供するために周囲をシールされた2枚の不透性フレキシブル材料シートから成るフレキシブルなパウチを含み、該パウチは第1の内面を含み、該第1の内面には、該組成物が、該組成物と該パウチの第2の内面との付着力よりも高いレベルの付着力で、しかし、該組成物と該皮膚表面との付着力よりは低いレベルの付着力で付着し、これにより使用中、該パウチは、該シートを互いに引き離すことにより開くことができ、そして、該組成物に塗布前に他の手段によって直接に触れる更なる必要なしに、該組成物を好都合に操作して該皮膚表面に直接に塗布することができる、請求項19に記載の創傷治療組成物。
【請求項２１】
前記容器が、Oliver （登録商標） Products Company “Solvent Resistant Peelable Pouching Material(耐溶剤性の剥離可能なパウチ材料)”(製品番号Q15/48BF1)である、請求項19又は20に記載の創傷治療組成物。
【請求項２２】
医薬として使用するための、請求項1〜21のいずれか1項に記載の創傷治療組成物。
【請求項２３】
皮膚損傷の治療における医薬として使用するための、請求項1〜22のいずれか1項に記載の創傷治療組成物。
【請求項２４】
皮膚損傷への局所塗布のための、請求項22又は23に記載の創傷治療組成物。
【請求項２５】
請求項1〜24のいずれか1項に記載の創傷治療組成物を製造する方法であって、以下：
重合剤及び/又は該重合剤による重合によってマトリックスになることが可能なモノマーを含む溶液中に生きた細胞を懸濁するステップ；
該重合剤で該モノマーを重合することにより、該細胞を含む単層状支持マトリックスを形成するステップ；及び
細胞内の創傷治療表現型の発生を可能にする条件下で該マトリックスをインキュベートし、これにより、該創傷治療組成物を形成するステップ
を含む、前記方法。
【請求項２６】
モノマー及び重合剤の両方が重合を生じさせるのに十分な濃度で存在するように、該マトリックスは、モノマー又は重合剤を該溶液に添加することにより形成される、請求項25に記載の方法。
【請求項２７】
請求項1〜24のいずれか1項に記載の創傷治療組成物を製造する方法であって、重合剤で重合可能なモノマーを重合することにより単層状支持マトリックスを形成し、生きた細胞を該支持マトリックス中に投入し、そして、細胞内の創傷治療表現型の発生を可能にする条件下で該マトリックスをインキュベートし、これにより該創傷治療表現型を形成するステップを含む、前記方法。
【請求項２８】
前記モノマーがフィブリノゲンであり、かつ前記重合剤がトロンビンである、請求項25〜27のいずれか1項に記載の方法。
【請求項２９】
前記重合が型内で生じる、請求項25〜28のいずれか1項に記載の方法。
【請求項３０】
創傷治療組成物を貯蔵するため、及び/又は該組成物を輸送するため、及び/又は患者の皮膚表面に該組成物を局所的に塗布するための容器内に該成物をパッケージングするステップを更に含む、請求項25〜29のいずれか1項に記載の方法。
【請求項３１】
皮膚損傷の治療のための、請求項1〜24のいずれか1項に記載の創傷治療組成物の製造における、請求項1〜24のいずれか1項に記載の生きた細胞の使用。
【請求項３２】
皮膚損傷が扱いにくい創傷である、請求項３１に記載の使用。